(57)【要約】      （修正有）【課題】樹脂を発泡成形した床基材を分割式にしつつ、洗い場床の排水性能を良好に保つことが可能な浴室の洗い場床を提供する。【解決手段】発泡樹脂製の複数の面材構成部材１２１〜１２３からなる床基材１２と、床基材１２を支持する床支持面を有する支持体と、洗い場の上面を構成する表面材と、床基材１２と表面材との間に配設されたクッション材を備え、排水口に向けて下り傾斜する排水勾配が付与された浴室の洗い場床であって、面材構成部材１２１〜１２３は、洗い場の上面の外周端部１ｃから離れるにつれて排水口に近づくように形成されて外周端部１ｃと排水口とを結ぶラインＬ１１２，Ｌ１２３上で複数に分割されてなる。【選択図】図４
2015190289.tif 000002
【特許請求の範囲】
【請求項１】
発泡樹脂製の複数の面材構成部材からなる床基材と、
前記床基材を支持する床支持面を有する支持体と、
洗い場の上面を構成する表面材と、
前記床基材と前記表面材との間に配設されたクッション材と、
を備え、
排水口に向けて下り傾斜する排水勾配が付与された浴室の洗い場床であって、
前記面材構成部材は、前記洗い場の上面の外周端部から離れるにつれて前記排水口に近づくように形成されて前記外周端部と前記排水口とを結ぶライン上で複数に分割されてなることを特徴とする浴室の洗い場床。
【請求項２】
前記排水勾配が、勾配の向きが異なる複数の排水勾配面によって形成され、
前記ラインは、前記複数の排水勾配面のうち隣接する２つの排水勾配面が交わって形成される谷線下に配設したことを特徴とする請求項１記載の浴室の洗い場床。
【請求項３】
浴室の壁を載せる溝部が形成された枠材を、前記床基材とは別体として、前記床基材の外周に沿って配置したことを特徴とする請求項２記載の浴室の洗い場床。
【請求項４】
前記面材構成部材と前記排水勾配面とを、平面視で同一の形状にしたことを特徴とする請求項３記載の浴室の洗い場床。
【発明の詳細な説明】
【技術分野】
【０００１】
本発明は、発泡樹脂を主体として形成された浴室の洗い場床に関する。
【背景技術】
【０００２】
特許文献１は、浴室の洗い場床に柔らかな踏み心地を付与するために、高硬度の床架台の上に、発泡倍率が６〜１０倍の発泡ポリプロピレンなどにより成形された第一のクッション層と、発泡倍率が４．０〜４．５倍の発泡ポリウレタンにより成形された第二のクッション層と、を積層し、さらに、洗い場表面に耐久性を持たせるために第二のクッション層よりも高い高度の表面層を被せて構成した浴室の洗い場床を開示するものである。この第一のクッション層は、金型内で発泡成形させて床基材の形状を賦形するものである（特許文献２参照）。この方法によれば、安価な金型を用いながらも、従来のＦＲＰ（繊維強化プラスチック）製の洗い場床では得ることのできないほどの柔らかな踏み心地を付与する洗い場床を提供することができる。
しかし、この洗い場床は、発泡成形によって床基材の形状を出しているため、高い精度で製造することができず、プレス成形などよりも大きな公差となっている。
【０００３】
一方、特許文献３に示されるように、側部フロアと中央フロアとに分割したフロアの上面に、凹凸模様が施された樹脂シート製の表面材を載置した洗い場床が提供されている。
【０００４】
上述した特許文献１に示されたような柔らかな踏み心地を付与する洗い場床を製作するにあたり、特許文献３に示されたような分割式のフロア（特許文献３のフロアは、特許文献１の第一のクッション層に相当する）を適用しようとすると、発泡成形品である床基材を高精度で成形できず公差が大きいために、隣り合う床基材同士の間に段差が生じることがある。その場合、柔らかな踏み心地を付与するために、表面層と床基材の間に設けられた柔軟性の高いポリウレタン製のクッション層は、柔軟性があるがゆえに、クッション層の下面が床基材間に生じる段差になじむように密接しやすい。そのため、柔らかな踏み心地が得られる反面、床基材間に生じる段差が大きい場合には、踏んだときに段差を感じやすく踏み心地が悪化する。
【０００５】
さらに、洗い場床の上面には、排水口に向けて下り傾斜する排水勾配が付与されている。そのため、床基材の上をクッション層と表面層で覆っても、床基材間に生じる段差が大きい場合には、床基材間に生じる段差が洗い場床の上面に表れて、排水勾配の途中に水が溜まるような凹部が形成されて、排水性能が著しく悪化し、洗い場床が乾燥するまでに長時間かかることになる。
【先行技術文献】
【特許文献】
【０００６】
【特許文献１】特開２０１３−２５３４５３号公報
【特許文献２】特開２０１２−１１７２５７号公報
【特許文献３】特開２０１２−１７２４７４号公報
【発明の概要】
【発明が解決しようとする課題】
【０００７】
そこで、本発明は、上記した問題点を解決し、樹脂を発泡成形した床基材を分割式にしつつ、洗い場床の排水性能を良好に保つことが可能な浴室の洗い場床を得ることを目的とする。
【課題を解決するための手段】
【０００８】
上記した課題を解決するために、請求項１の浴室の洗い場床では、発泡樹脂製の複数の面材構成部材からなる床基材と、前記床基材を支持する床支持面を有する支持体と、洗い場の上面を構成する表面材と、前記床基材と前記表面材との間に配設されたクッション材と、を備え、排水口に向けて下り傾斜する排水勾配が付与された浴室の洗い場床であって、前記面材構成部材は、前記洗い場の上面の外周端部から離れるにつれて前記排水口に近づくように形成されて前記外周端部と前記排水口とを結ぶライン上で複数に分割されてなることを特徴とする。
【０００９】
これによれば、発泡成形された面材構成部材に生じる成形誤差により、隣り合う面材構成部材間に段差が生じても、その段差は、洗い場の上面の外周端部から離れるにつれて排水口に近づくように形成されて外周端部と排水口とを結ぶライン上に表れる。そのラインは、排水口に向けて連続的に下り傾斜するため、面材構成部材間に生じた段差が洗い場の表面に表れたとしても、洗い場上を流れる水は、ラインに沿って流れて排水口に流れ込む。そのため、洗い場床の上面に水が溜まるような凹部は形成されない。
したがって、樹脂を発泡成形した床基材を分割式にしつつ、洗い場床の排水性能を良好に保つことが可能な浴室の洗い場床を提供することが可能となる。
【００１０】
また、請求項２では、前記排水勾配が、勾配の向きが異なる複数の排水勾配面によって形成され、前記ラインは、前記複数の排水勾配面のうち隣接する２つの排水勾配面が交わって形成される谷線下に配設したことを特徴とする。
【００１１】
これによれば、排水勾配の傾斜の途中に段差が生じることがなく、洗い場床の上面に水が溜まるような凹部は形成されない。そのため、洗い場上の水は、２つの排水勾配面が交わって形成される谷線に沿って排水口まで流れることになる。
したがって、洗い場上の水を速やかに排水口に流し込むことが可能となる。
【００１２】
また、請求項３では、浴室の壁を載せる溝部が形成された枠材を、前記床基材の外周に沿って配置する。
【００１３】
これによれば、浴室の壁を載せる溝部の近傍は、複雑な形状となるが、その部分を面材構成部材とは別体とする。そのため、金型の作製に掛かる費用をさらに削減することができる。
【００１４】
また、請求項４では、前記面材構成部材と前記排水勾配面とを、平面視で同一の形状にする。
【００１５】
これによれば、面材構成部材を、一方向に一律に傾斜した形状にすることができるので、発泡成形の金型の作製にかかる費用をさらに削減することが可能である。
【発明の効果】
【００１６】
本発明によれば、樹脂を発泡成形した床基材を分割式にしつつ、洗い場床の排水性能を良好に保つことが可能な浴室の洗い場床を得ることが可能となる。
【図面の簡単な説明】
【００１７】
【図１】本発明の第一の実施形態にかかる洗い場床を有する浴室ユニットを示す斜視図である。
【図２】本発明の第一の実施形態にかかる洗い場床を示す分解斜視図である。
【図３】本発明の第一の実施形態にかかる洗い場床に付与された排水勾配を示す模式図である。
【図４】本発明の第一の実施形態にかかる洗い場床の床基材を示す模式図であり、（ａ）は床基材を複数の面材構成部材と枠材とに分割した状態を示す平面図、（ｂ）は複数の面材構成部材と枠材とを分離させた状態を示す平面図である。
【図５】図４における面材構成部材間の排水勾配を示す模式的斜視図である。
【図６】比較例としての床基材を示す模式図であり、（ａ）は床基材の平面図、（ｂ）は（ａ）のＹ−Ｙ断面図である。
【図７】本発明の第一の実施形態にかかる洗い場床の外周端部を示す断面図である。
【図８】本発明の第一実施形態にかかる洗い場床の床基材の変形例を示す図であり、（ａ）は洗い場を示す斜視図、（ｂ）は床基材を複数の面材構成部材と枠材とに分割した状態を示す平面図、（ｃ）は複数の面材構成部材と枠材とを分離させた状態を示す平面図である。
【図９】本発明の第二の実施形態にかかる洗い場床に付与された排水勾配を示す図であり、（ａ）は洗い場を示す斜視図、（ｂ）は床基材を複数の面材構成部材と枠材とに分割した状態を示す平面図、（ｃ）は複数の面材構成部材と枠材とを分離させた状態を示す平面図である。
【発明を実施するための形態】
【００１８】
以下、本発明の実施の形態を図面に基づいて説明する。
図１は、第一の実施形態にかかる洗い場床を有する浴室を示す斜視図、図２は洗い場床を示す分解斜視図である。
【００１９】
図１に示すように、浴室ユニットは、洗い場床１と、それに隣接する浴槽６と、洗い場床１と浴槽６を取り囲むように設置される壁７と、を備えている。壁７は、洗い場床１の外周端部１ｃに形成されている溝部に嵌め込まれている。洗い場床１の浴槽側の端部には、排水口１５１が設けられている。また、洗い場床１の浴槽側には止水壁１ｂが設けられ、浴槽６の洗い場側にはバスエプロン９が設けられている。
【００２０】
洗い場床１の下方には、排水口１５１と浴室外の排水管路とを連通させる排水管８が敷設されている。
【００２１】
図２に示すように、洗い場床１は、支持体１１と、床基材１２と、クッション材１３と、表面材１４と、排水口１５１を形成する排水口部材１５と、を備えている。
【００２２】
支持体１１は、脚１１２を有するフレーム１１１と、フレーム１１１の上面に固定される補強部材１１５と、を備えている。フレーム１１は、鋼材製の梯子状に構成されている。補強部材１１５には、高強度で剛性のある素材が好適であり、その一例として、樹脂製板材を鋼板で挟みこんだサンドイッチパネル、あるいは、鋼板を折り曲げ形成したデッキプレートなどが用いられている。この補強部材１１５の上面が床基材１２を支える床支持面１１５ａとなる。
補強部材１１５は、排水口部材１５を囲む孔（図示せず）を備えている。なお、補強部材１１５の略中央には、施工の際に脚１１２の高さ調節等の作業のための作業口１１５ｈが設けられている。作業終了後、この作業口１１５ｈには蓋１１６が被せられる。
【００２３】
床基材１２は、樹脂を発泡成形して得られるものであり、発泡倍率が６〜１０倍の発泡ポリプロピレンによって形成され、床面部１２１と立壁部１２３とを備えている。また、床面部１２１の周端縁部には表面材１４の端部が接着される表面材固定部１２１ａが形成され、表面材固定部１２１ａより内側に、クッション材１３が埋設されるクッション材組込み凹部１２１ｂを形成している。このクッション材組込み凹部１２１ｂは、排水口部材１５を囲む孔（図示せず）を備えている。また、クッション材組込み凹部１２１ｂの上面には、排水口部材１５に向けて傾斜する排水勾配の基礎となる勾配が設けられている。
【００２４】
クッション材１３は、発泡倍率が４．０〜４．５倍の発泡ポリウレタン製であり、床基材１２よりも高い弾力性と柔軟性を有する。このクッション材１３は、床基材１２に形成されたクッション材組込み凹部１２１ｂ内に埋め込んで接着される。また、クッション材１３は、排水口部材１５を囲む切欠き１３ｈを備えている。
【００２５】
表面材１４は、床基材１２の床面部１２１を覆って洗い場１ａの表面を形成する床表面部１４１を有する。また、表皮材１４は、端部に、床基材１２の立壁部１２２を覆って止水壁１ｂの表面を形成する立壁表面部１４２を有する。また、表面材１４は、排水口部材１５を囲む孔１４ｈを備えている。この表面材１４は、床基材１２およびクッション材１３の表面を覆って、床基材１２の表面材固定部１２１ａに接着されている。
この表面材１４には、洗い場１ａ上に残った水を途中で途切れさせることなく排水口部材１５にゆっくりと排出するための排水溝が設けられている（図示せず）。これにより、夜間に入浴した際に洗い場１ａの上に残った水が、翌日朝には洗い場１ａの上からほとんど無くなるように排水性能を向上させている。
【００２６】
排水口部材１５は、排水口１５１を形成する凹形状を有している。この排水口部材１５は、表面材１４の孔１４ｈ周りの下面に接続されている。
【００２７】
次に、洗い場１ａの上面に設けた排水勾配について説明する。
図３は洗い場床に付与された排水勾配を示す模式図である。
図３に示すように、洗い場１ａの上面には、洗い場１ａ上の水を排水口部材１５に流すために排水勾配が付与されている。この排水勾配は、前述したように、床基材１２のクッション材組込み凹部１２１ｂに設けられた勾配を基礎としている。そして、この排水勾配は、排水口部材１５に向けて下り勾配となる３枚の排水勾配面１６１，１６２，１６３に分かれている。この排水勾配面１６１〜１６３は、それぞれは平坦な面であり、洗い場１ａの外周端部１ｃの各辺から排水口部材１５に向けて一律に下り傾斜している。
【００２８】
図３に示す複数の矢印Ｓ１は、洗い場１ａに形成された排水勾配面１６１〜１６３のそれぞれの下り勾配の方向を表している。すなわち矢印Ｓ１の向く方向が、下りの方向を示している。このように、洗い場１ａにおいて、排水勾配面１６１〜１６３は、洗い場１ａの外周縁の各辺を始点として、各辺と直交する方向、すなわち、排水口部材１５に向けて下り傾斜する傾斜平面になっている。
このような排水勾配によって、洗い場１ａ上の水は排水口部材１５に排出される。
【００２９】
この排水勾配面１６１〜１６３のうち、任意の排水勾配面と、その排水勾配面と隣接する排水勾配面、すなわち隣り合う排水勾配面は、それぞれ傾斜方向が異なる勾配を有するため、２つの排水勾配面の間の境界は、谷線となる。排水勾配面１６１と排水勾配面１６２との境界Ｍ１１２は、排水口部材１５に向けて傾斜する谷線となる。また、排水勾配面１６２と排水勾配面１６３との境界Ｍ１２３は、排水口部材１５に向けて傾斜する谷線となる。そして、一つの排水勾配面が境界を２つ有する場合は、この２つの境界は所定の距離はなれて排水口部材１５に連なる。そのため、それぞれの排水勾配面１６１〜１６３は、平面視において、排水口部材１５と点で接触するのではなく、面で当接することになる。例えば、排水勾配面１６２は、２つの境界Ｍ１１２，Ｍ１２３を有するが、これらの境界Ｍ１１２，Ｍ１２３は、間を離して排水口部材１５に連接するので、排水勾配面１６２は境界Ｍ１１２と境界Ｍ１２３とをつなぐ端面１６２ａで排水口部材１５と連接する。また、一つの排水勾配面が境界を１つだけ有する場合は、排水勾配面の境界とその境界と反対側の排水勾配面の端面とに挟まれた端面が排水口部材１５と面で接触する。例えば、排水勾配面１６１は、境界Ｍ１１２と端面１６１ｂとをつなぐ端面１６１ａで排水口部材１５に連接する。
【００３０】
したがって、排水勾配面を流れてくる水は、必ず、排水勾配面の排水口部材１５側の端面の上を通過して排水口部材１５に流れ込む（排水勾配面１６１では端面１６１ａの上を通過して、排水勾配面１６２では端面１６２ａの上を通過して、排水口部材１５に流れ込む）。
【００３１】
次に、床基材１２の構成について、さらに詳しく説明する。
図４は洗い場床の床基材を示す模式図であり、（ａ）は床基材を複数の面材構成部材と枠材とに分割した状態を示す平面図、（ｂ）は複数の面材構成部材と枠材とを分離させた状態を示す平面図である。
図４に示すように、床基材１２は、複数の面材構成部材１２１，１２２，１２３と枠材１２７ａ，１２７ｂ，１２７ｃ，１２７ｄを寄せ集めて、図示せぬ連結部材によって一体化させて構成されている。
【００３２】
面材構成部材１２１〜１２３は、いずれも排水口部材１５に向けて下方に傾く勾配を備えている。これらの面材構成部材１２１〜１２３は、樹脂を発泡成形させて得られるものである。そのため、高い精度で製造することができず、比較的大きな公差を有する。そのため、面材構成部材１２１〜１２３は、公差による高さの違いが生じることがある。面材構成部材間に高さの違いが生じると、隣り合う面材構成部材１２１と面材構成部材１２２との間、面材構成部材１２２と面材構成部材１２３との間には、段差が生じてしまう。
【００３３】
しかし、本実施形態の床基材１２では、複数の面材構成部材１２１〜１２３で床基材１２を構成するにあたり、洗い場１ａの上面の外周端部１ｃから離れるにつれて排水口部材１５に近づくように形成されて、且つ、外周端部１ｃと排水口部材１５とを結ぶラインＬ１１２，Ｌ１２３によって複数の面材構成部材１２１〜１２３に分割している。そのため、面材構成部材１２１〜１２３の間に段差が生じても、その段差は洗い場１ａの外周端部１ｃから排水口部材１５に至るまで、ラインＬ１１２，Ｌ１２３に沿って設けられることになる。このラインＬ１１２，Ｌ１２３は、排水口部材１５に向けて下り傾斜しているから、面材構成部材間の段差も、外周端部１ｃから排水口部材１５に向けて連続して下り傾斜するように設けられることになる。これにより、この洗い場１ａでは、面材構成部材１２１〜１２３間に段差が生じても、この段差によって洗い場１ａの排水勾配を遮ることがなく、その段差によって洗い場上に水が溜まるような凹部が形成されることはない。よって、洗い場１ａの排水性能を良好に保つことが可能となる。
【００３４】
図５は、図４における面材構成部材間の排水勾配を示す模式的斜視図である。ただし、面材構成部材１２１は、面材構成部材１２２よりも大きめに形成されたものであり、面材構成部材１２１と面材構成部材１２２の間には、段差が生じる。
本実施形態の洗い場床１によれば、この段差が洗い場１ａの表面に表れたとしても、段差が連なる方向は、ラインＬ１１２に沿って設けられることになる。前述したとおり、ラインＬ１１２は排水口部材１５に向けて下り傾斜しているから、面材構成部材１２１と面材構成部材１２２との間の段差も、外周端部１ｃから排水口部材１５に向けて連続して下り傾斜する。これにより、この洗い場１ａでは、面材構成部材１２１〜１２３間に段差が生じても、この段差によって洗い場１ａの排水勾配を遮ることがなく、その段差によって洗い場１ａの上に水が溜まるような凹部が形成されることはない。
【００３５】
次に、本実施形態の作用効果の理解を助けるために、比較例について説明する。
図６は、比較例としての床基材を示す模式図であり、（ａ）は床基材の平面図、（ｂ）は（ａ）のＹ−Ｙ断面図である。
この比較例の洗い場２ａでは、複数の面材構成部材２２１〜２２３を分けるラインＬ２１２，Ｌ２２３は、洗い場２ａの相対する外周端部２ｃ同士を結ぶように設けられていて、外周端部２ｃと排水口部材１５とを結んでいない。さらに、ラインＬ２１２，Ｌ２２３は、排水勾配面のＭ２１２，Ｍ２２３を横切るものとなる。そして、排水口部材１５の近くに配設される面材構成部材２２２よりも、面材構成部材２２２よりも排水口部材１５から離れた位置に配設される面材構成部材２２１の方が大きめに形成されていると、面材構成部材２２１と面材構成部材２２２の間に生じた段差は、ラインＬ２１２の面材構成部材２２１側が低くなる段差となる。すると、このラインＬ２１２の面材構成部材２２１側には、排水勾配の途中を分断するような凹部１ｅが生じ、凹部１ｅに溜まった水は排水口部材１５に排出されなくなってしまう。すなわち、この比較例の洗い場２ａでは、洗い場２ａの排水性能を良好に保つことができない。
【００３６】
これに対し、本実施形態の洗い場１ａでは、排水勾配付きの発泡樹脂製の床基材１２は、洗い場１ａの上面の外周端部１ｃから離れるにつれて排水口部材１５に近づくように形成されて外周端部１ｃと排水口部材１５とを結ぶラインＬ１１２，Ｌ１２３の上で、複数の面材構成部材１２１〜１２３に分かれている。これにより、発泡成形された面材構成部材１２１〜１２３に生じる成形誤差により、隣り合う面材構成部材間に段差が生じても、その段差は、ラインＬ１１２，Ｌ１２３上に表れる。そのラインＬ１１２，Ｌ１２３は、排水口部材１５に向けて連続的に下り傾斜するため、面材構成部材間に段差が生じても、洗い場上を流れる水は、このラインＬ１１２，Ｌ１２３に沿って排水口部材１５に流れ込む。そのため、洗い場１ａの上面に水が溜まるような凹部は形成されない。よって、樹脂を発泡成形した床基材１２を分割式にしつつ、洗い場１ａの排水性能を良好に保つことができる洗い場床１を提供することができる。
【００３７】
図７は、洗い場床の外周端部を示す断面図である。
本実施形態の床基材１２では、壁７を載せる溝部１ｄが形成された枠材１２７ａ〜１２７ｄを、面材構成部材１２１〜１２３の外周に沿って配置する。これによれば、複雑な形状となる溝部１ｄの近傍を面材構成部材１２１〜１２３とは別体とすることができ、金型の作製に掛かる費用をさらに削減することができる。
【００３８】
次に、床基材の変形例について説明する。なお、この変形例を含め、以降に説明する実施の形態では、前述した実施形態と同じ構成については、同じ符号を付してその説明を省いている。
図８は、変形例にかかる洗い場床の床基材を示す図であり、（ａ）は洗い場を示す斜視図、（ｂ）は床基材を複数の面材構成部材と枠材とに分割した状態を示す平面図、（ｃ）は複数の面材構成部材と枠材とを分離させた状態を示す平面図である。
【００３９】
この洗い場３ａは、３つの面材構成部材３２１〜３２３を並べた床基材１２によって、勾配の向きが異なる３つの排水勾配面１６１〜１６３を形成している。面材構成部材３２１と面材構成部材３２２との間のラインＬ３１２は、洗い場３ａの排水勾配面間の境界Ｍ３１２下に配設され、面材構成部材３２２と面材構成部材３２３との間のラインＬ３１２は、洗い場３ａの排水勾配面間の境界Ｍ３２３下に配設される。すなわち、ラインＬ３１２，Ｌ３２３は、複数の排水勾配面１６１〜１６３のうち隣接する２つの排水勾配面が交わって形成される谷線Ｍ３１２，Ｍ３２３下に配設されることになる。
よって、面材構成部材３２１〜３２３と排水勾配面１６１〜１６３とは、平面視で同一の形状となる。また、面材構成部材３２１〜３２３は、壁７を載せる溝部１ｄが形成された枠材１２７ａ〜１２７ｄを別体としている。
【００４０】
これによれば、面材構成部材３２１〜３２３を、一方向に一律に傾斜した単純な形状にすることができるので、発泡成形の金型の作製にかかる費用をさらに削減することが可能である。
【００４１】
この変形例によれば、排水勾配の傾斜の途中に段差が生じることがなく、洗い場３ａの上面に水が溜まるような凹部は形成されない。そのため、洗い場上の水は、２つの排水勾配面が交わって形成される谷線に沿って排水口部材１５まで流れることになる。したがって、洗い場上の水を速やかに排水口部材１５に流し込むことが可能となる。
【００４２】
次に、本発明の第二の実施形態にかかる洗い場床について説明する。
図９は、第二の実施形態にかかる洗い場床に付与された排水勾配を示す図であり、（ａ）は洗い場を示す斜視図、（ｂ）は床基材を複数の面材構成部材と枠材とに分割した状態を示す平面図、（ｃ）は複数の面材構成部材と枠材とを分離させた状態を示す平面図である。
第一の実施形態では、排水勾配面１６１〜１６３は、排水口部材１５に向けての下り勾配がそれぞれの領域内において一律に傾斜する傾斜平面となっているが、この第二の実施形態の洗い場４ａでは、排水口部材１５に向けて下り傾斜するすり鉢状の勾配を有する曲面状の排水勾配面４６とした排水勾配を有する。そのため、この洗い場４ａにおいては、勾配の方向が異なる複数の排水勾配面によって形成される境界は存在しない。
【００４３】
洗い場床４の床基材４２は、排水勾配面４６と同様に排水口部材１５に向けて下り傾斜するすり鉢状の勾配を有する。また、床基材４２は、樹脂を発泡成形させて得られた面材構成部材４２１と面材構成部材４２２とに分かれている。
【００４４】
この床基材４２では、面材構成部材４２１，４２２で床基材４２を構成するにあたり、洗い場４ａの上面の外周端部４ｃから離れるにつれて排水口部材１５に近づくように形成されて、且つ、外周端部４ｃと排水口部材１５とを結ぶラインＬ４１２によって複数の面材構成部材４２１，４２２に分割している。そのため、面材構成部材４２１，４２２の間に段差が生じても、その段差は洗い場４ａの外周端部４ｃから排水口部材１５に至るまで、ラインＬ４１２に沿って設けられることになる。このラインＬ４１２は、排水口部材１５に向けて下り傾斜しているから、面材構成部材間の段差も、外周端部４ｃから排水口部材１５に向けて連続して下り傾斜するように設けられることになる。これにより、この洗い場４ａでは、面材構成部材４２１，４２２間に段差が生じても、この段差によって洗い場４ａの排水勾配を遮ることがなく、その段差によって洗い場上に水が溜まるような凹部が形成されることはない。
したがって、この第二の実施の形態においても、床基材４２を複数に分割しつつ、洗い場４ａの排水性能を良好に保つことが可能となる。
【００４５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、複数の排水勾配面を区切る境界を直線にするのに代えて、曲線としてもよい。また、排水口部材の位置を浴槽の長手方向の中心付近に設置するのに代えて、洗い場の隅に設置してもよい。もちろん、床基材を構成する面材構成部材の分割位置についても前述の実施の形態に限定されるものではない。
【符号の説明】
【００４６】
１，２，３，４  洗い場床
１ａ，２ａ，３ａ、４ａ  洗い場
１ｃ，２ｃ，３ｃ、４ｃ  外周端部
１ｄ  溝部
１ｅ  凹部
１１  支持体
１１５ａ  床支持面
１２，２２，３２，４２  床基材
１２１〜１２３，２２１〜２２３，３２１〜３２３，４２１，４２２  面材構成部材
１２７ａ〜１２７ｄ  枠材
１３  クッション材
１４  表面材
１５  排水口部材
１５１  排水口
１６１〜１６３  排水勾配面
７  壁
Ｌ１１２，Ｌ１２３，Ｌ２１２，Ｌ２２３，Ｌ３１２，Ｌ３２３，Ｌ４１２  ライン
Ｍ１１２，Ｍ１２３，Ｍ２１２，Ｍ２２３，Ｍ３１２，Ｍ３２３  境界（谷線）
【図１】
2015190289.tif 000003
【図２】
2015190289.tif 000004
【図３】
2015190289.tif 000005
【図４】
2015190289.tif 000006
【図５】
2015190289.tif 000007
【図６】
2015190289.tif 000008
【図７】
2015190289.tif 000009
【図８】
2015190289.tif 000010
【図９】
2015190289.tif 000011